(57)【要約】【課題】脚部を受容する固定部材を設けた立て看板等の取付具において、固定部材を地面に確実に固定できるようにする。【解決手段】脚部８を設けた立て看板１を立設するものにおいて、脚部８を受容する固定部材11に地面24に差し込む金属製の第１の差込部材10を設ける。第１の差込部材10を地面24に差し込んで固定した状態で、脚部８を固定部材11に固定することで確実に立て看板１を立設できる。さらに第１の差込部材10は金属製であるので、再利用が可能となる。１本の金属製棒を折り曲げて第１の差込部材10の上端を折り曲げて前記横向部を形成することができる。【選択図】図１
2008203682.tif 000002
【特許請求の範囲】
【請求項１】
表示物の支持用の脚部を固定する固定部材を設けた立て看板等地面に立設する表示物の取付具において、前記固定部材に地面に差し込む金属製の第１の差込部材を設け、前記金属製棒の上端に前記横向部を形成し、かつ前記第１の差込部材は１本の金属棒の上端を折り曲げて形成したことを特徴とする立て看板等地面に立設する表示物の取付具。
【請求項２】
前記第１の差込部材は上下方向に長い金属製棒により形成され、その上部に横向部を設けると共に、該横向部と反対側の前記第１の差込部材の部位に前記固定部材を設けることを特徴とする請求項１記載の立て看板等地面に立設する表示物の取付具。
【請求項３】
前記金属製棒のほぼ軸線上にある頂部よりやや下方に前記固定部材を設けたことを特徴とする請求項２記載の立て看板等地面に立設する表示物の取付具。
【請求項４】
前記第１の差込部材が異形棒鋼によって形成されていることを特徴とする請求項１〜３のいずれか１項に記載の立て看板等地面に立設する表示物の取付具。
【請求項５】
表示物の支持用の脚部を固定する固定部材を設けた脚部の固定用の第１の取付具と、前記表示物の後側に配置され該表示物の上部より斜め下方に配置される第２の取付具とを備え、前記固定部材に地面に差し込む第１の差込部材を設け、前記金属製棒の上端に前記横向部を形成し、かつ前記第１の差込部材は１本の金属棒の上端を折り曲げて形成し、前記第２の取付具は上部に前記表示物の上部に係止する係止部材を設けると共に、下部に前記地面に差し込む第２の差込部材を設けたことを特徴とする立て看板等地面に立設する立て看板等地面に立設する表示物の取付具。
【請求項６】
前記係止部材と前記第２の差込部材の少なくとも一方が、前記支持部材本体に回動自在に接続していることを特徴とする請求項５記載の立て看板等地面に立設する立て看板等地面に立設する表示物の取付具。
【請求項７】
前記支持部材本体は、複数の棒状部材を摺動自在に設けて長さ方向に伸縮可能に設けると共に、これら棒状部材間に固定手段を設けたことを特徴とする請求項５又は６記載の立て看板等地面に立設する表示物の取付具。
【請求項８】
前記係止部材は、上面部の前後に前面部、後面部を設けると共に下方を開口して、前記表示物の上方から嵌合可能に係止可能に設けたことを特徴とする請求項５〜７のいずれか１項に記載の立て看板等地面に立設する表示物の取付具。
【請求項９】
前記固定部材は前記脚部を受容することを特徴とする請求項１〜８のいずれか１項に記載の表示物の取付具。
【発明の詳細な説明】
【技術分野】
【０００１】
本発明は、立て看板等地面に立設する表示物の取付具に関するものである。
【背景技術】
【０００２】
道路や空き地等に設置される立て看板は、木の角材や金属のパイプ、プラスチックのパイプを、略長方形に組んで枠体を作り、この枠体内に宣伝広告の文字、図形等を施したシートを設けたもので、枠体の左右両側には脚部が下方に向けて突設している。
【０００３】
このような立て看板を地上に立設させるには、電柱が近くにあるときは電柱に支持させるが、電柱が近くにないときは杭を地面に打ちつけると共に、この杭に立て看板の脚部を針金等によって固定している。また、立て看板が風圧で倒れないように、立て看板の後ろ側に支え棒を立て看板と地面との間に斜めに設置されている。
【０００４】
このような従来の立て看板の取り付けにあっては、杭や支え棒は使い捨てであり、リサイクルできないという問題があった。
このような問題を解決するものとして、ガードレールの支柱に立て看板を取り付けるための立て看板の取付具であって、立て看板を取り付ける金具本体と、この金具本体を支柱に固定する固定手段とを有し、金具本体が固定手段で支柱に固定される垂直部材と、垂直部材の上部に固定されると共に両端に前記立て看板の脚部が挿入可能な装着部を有する水平部材とからなり、固定手段が垂直部材に固定された板材と、この板材との間に支柱を挟持するＵ字ボルトとからなるので、立て看板をガードレールの支柱に簡単に着脱することが可能であり、立て看板が不要となって取り外した後にも支柱に傷が残ることがないものが知られている（例えば特許文献１）。
【０００５】
また、下部基台と、該基台の上に立設され、相互の間に立て看板を受容する左右一対の支柱枠からなる立て看板の固定台も知られている（例えば特許文献２）。
【特許文献１】実用新案登録第３０３３６０５号公報公報
【特許文献２】実用新案登録第３０２７８０７号公報
【発明の開示】
【発明が解決しようとする課題】
【０００６】
前者の従来技術においては、ガードレールの支柱に立て看板を取り付けるためのものであるので、立て看板を地上に立設することはできない。一方、後者の技術においては、基台を地上に設置することで立て看板を地上に立設することはできるものの、基台を地面に固定することはできない。
【０００７】
解決しようとする問題点は、脚部を受容する固定部材を設けた立て看板等の取付具において、固定部材を地面に確実に固定できるようにする点である。
【課題を解決するための手段】
【０００８】
請求項１の発明は、表示物の支持用の脚部を固定する固定部材を設けた立て看板等地面に立設する表示物の取付具において、前記固定部材に地面に差し込む金属製の第１の差込部材を設け、前記金属製棒の上端に前記横向部を形成し、かつ前記第１の差込部材は１本の金属棒の上端を折り曲げて形成したことを特徴とする立て看板等地面に立設する表示物の取付具である。
【０００９】
請求項２の発明は、前記第１の差込部材は上下方向に長い金属製棒により形成されると共に、その上部に横向部を設けると共に、該横向部と反対側の前記第１の差込部材の部位に前記固定部材を設けることを特徴とする請求項１記載の立て看板等地面に立設する表示物の取付具である。
【００１０】
請求項３の発明は、前記金属製棒のほぼ軸線上にある頂部よりやや下方に前記固定部材を設けたことを特徴とする請求項２記載の立て看板等地面に立設する表示物の取付具である。
【００１１】
請求項４の発明は、前記第１の差込部材が異形棒鋼によって形成されていることを特徴とする請求項１〜３のいずれか１項に記載の立て看板等地面に立設する表示物の取付具である。
【００１２】
請求項５の発明は、表示物の支持用の脚部を固定する固定部材を設けた脚部の固定用の第１の取付具と、前記表示物の後側に配置され該表示物の上部より斜め下方に配置される第２の取付具とを備え、前記固定部材に地面に差し込む第１の差込部材を設け、前記金属製棒の上端に前記横向部を形成し、かつ前記第１の差込部材は１本の金属棒の上端を折り曲げて形成し、前記第２の取付具は上部に前記表示物の上部に係止する係止部材を設けると共に、下部に前記地面に差し込む第２の差込部材を設けたことを特徴とする立て看板等地面に立設する立て看板等地面に立設する表示物の取付具である。
【００１３】
請求項６の発明は、前記係止部材と前記第２の差込部材の少なくとも一方が、前記支持部材本体に回動自在に接続していることを特徴とする請求項５記載の立て看板等地面に立設する立て看板等地面に立設する表示物の取付具である。
【００１４】
請求項７の発明は、前記支持部材本体は、複数の棒状部材を摺動自在に設けて長さ方向に伸縮可能に設けると共に、これら棒状部材間に固定手段を設けたことを特徴とする請求項５又は６記載の立て看板等地面に立設する表示物の取付具である。
【００１５】
請求項８の発明は、前記係止部材は、上面部の前後に前面部、後面部を設けると共に下方を開口して、前記表示物の上方から嵌合可能に係止可能に設けたことを特徴とする請求項５〜７のいずれか１項に記載の立て看板等地面に立設する表示物の取付具である。
【００１６】
請求項９の発明は、前記固定部材は前記脚部を受容することを特徴とする請求項１〜８のいずれか１項に記載の表示物の取付具である。
【発明の効果】
【００１７】
請求項１の発明によれば、第１の取付具により確実に立て看板を立設でき、さらに第１の差込部材は金属製であるので、再利用が可能となる。しかも、１本の金属製棒を折り曲げて第１の差込部材を形成することができる。
【００１８】
請求項２の発明によれば、第１の差込部材を地面に打ち込むときに、横向部に打ち込み具を当てることで打ち込みを簡単に行うことができる。
【００１９】
請求項３の発明によれば、横向部に打ち込み具を当てて打ち込みを行う際に、固定部材に打ち込み具が誤って当るようなことはなくなる。
【００２０】
請求項４の発明によれば、地盤との付着力を増加することができる。
【００２１】
請求項５の発明によれば、第１、２の取付具により確実に立て看板を立設でき、さらに第１の差込部材は金属製であるので、再利用が可能となる。しかも、１本の金属製棒を折り曲げて第１の差込部材を形成することができる。
【００２２】
請求項６の発明によれば、立て看板に対する第２の取付具の角度を自由に調整することができる。
【００２３】
請求項７の発明によれば、立て看板に対する第２の取付具の長さを自由に調整することができる。
【００２４】
請求項８の発明によれば、立て看板の上方から係止部を嵌合することで簡単に取り付けを行うことができる。
【００２５】
請求項９の発明によれば、固定部材は前記脚部を受容して固定することができる。
【発明を実施するための最良の形態】
【００２６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２７】
図１〜図３は実施例１を示しており、地面に立設する表示物としての立て看板１は、木の角材や金属のパイプ、プラスチックのパイプを、間隔を有して左右に配置した縦部材２，３と、この左右一対の縦部材２，３の上下に配置される横部材４、５とを備え略長方形に組んで枠体６を作り、この枠体６内に宣伝広告の文字、図形等の表示部を施した木製や金属製の板やプラスチック製のシートやフィルムなどの表示板７を設けたもので、枠体６の左右両側には脚部８が下方に向けて突設している。尚、看板１裏側の横支え枠木である横部材４、５は看板１の大きさで２〜３段と増やすことになる。
【００２８】
脚部８に接続する看板１の金具状の第１の取付具９は、地面24から地中に差し込む金具である第１の差込部材10と、この第１の差込部材10の上部の前側に設けられる脚部８を受容して固定する固定部材11を設けたものである。前記第１の差込部材10は細長い棒状であって、実施例では地盤との付着力を増加させるための複数の節部12を、外周面に多段に設けた異形棒鋼が用いられている。異形棒鋼に代えて差込部材として断面が円形の普通棒鋼（鉄筋）を用いてもよい。この第１の差込部材10は、１本の異形棒鋼の軸線13に沿った直線部の上部を後方に横向きに折り曲げて、その横向部14の横端15を下向きに形成して、全体としては逆Ｌ字状に形成されている。尚、第１の差込部材10などは鉄以外の金属でもよい。
【００２９】
脚部８を受容する金属製の固定部材11は、差込部材の頂部21のやや下方で、かつ横向部14と反対方向となる前側に固定される。この固定部材11は脚部８が遊嵌できる平面が角形の筒部16と、第１の締め付け部材17とを備え、前記筒部16は脚部８が上下方向に貫通可能な上部開口部18と下部開口部19とを有する。そして、固定具としての第１の締め付け部材17はボルト状であって、筒部16の前面の上下複数箇所、実施例では２箇所に設けた第１の雌螺子部材20を介して前後方向、すなわち筒部16の内外方向に螺子を介して移動できるようになっている。
【００３０】
この第１の差込部材10は次のように製造される。直線状の棒鋼を所定長さに切断した後、その上部側を除いて全体を固定し、そして上部側に横向の力を加えて横倒しすることで塑性変形をなして形成するものであり、横端15はやや下向きに形成され、また頂部21がほぼ軸線13上に配置されている。そして、この第１の差込部材10に固定部材11が溶接やボルト・ナット等適宜手段で一体に設けられるものである。
【００３１】
立て看板１の後ろ側に設置され上横部材４に接続する立て看板１の金具である第２の取付具22は、上横部材４に係止する係止部材23と、地面24から地面24に固定する第２の差込部材25と、この第２の差込部材25と係止部材23間に介在する支持部材26とを備えている。支持部材26は長手方向に伸縮できるように断面が中空角形の筒状の上部支持部材26Ａの下部に、前記上部筒部16の断面より小さくなった断面が角形の下部支持部材26Ｂが挿入していると共に、両者は固定手段である第２の締め付け部材17Ａによって所望の長さにより固定されるようになっている。第２の締め付け部材17Ａはボルト状であって、上部支持部材26Ａの下部後面の上下複数箇所、実施例では２箇所に設けた第２の雌螺子部材20Ａを介して前後方向、すなわち上部支持部材26Ａの内外方向に螺子を介して移動できるようになっている。また、係止部材23は、上横部材４、５の前面部、上面部、後面部にそれぞれ当接する前面部材23Ａ、上面部材23Ｂ、後面部材23Ｃを一体に設けると共に、下方を開口しており、後面部材23Ｃの後部は第１の軸27を介して上部支持部材26Ａの上部に上下方向に回動自在に設けられている。また第２の差込部材25は角棒状であって、第２の軸28を介して下部支持部材26Ｂの下部に上下方向に回動自在に設けられている。尚、係止部材23と第２の差込部材25の少なくとも一方が、支持部材26に回動自在に接続していればよい。
【００３２】
次に前記構成についてその作用を説明する。立て看板１を立てる地面24の所定位置の左右に、固定部材11側を前側として、第１の取付具９をそれぞれ打ち込む。このときの打ち込みは、固定部材11が地面24に近づくまで、頂部21にハンマー（図示せず）などの打ち込み具を当てて行う。この際、頂部21が軸線13上にあるので、打ち込み具の打撃力は軸線13に沿って伝達されるので、第１の差込部材10が横に倒れたりすることなく地面24に打ち込むことができる。そして、立て看板１の脚部８を、上部開口部18を通して筒部16に挿入し、そして第１の締め付け部材17を締め付けることで脚部８を筒部16の後側に押し付けて固定するものである。
【００３３】
このようにして、立て看板１を第１の取付具９を介して地面24に立設した状態で第２の取付具22を取り付ける。この取り付けは、予め第２の締め付け部材17Ａを緩めておいた状態で、上横部材４、５の上方に係止部の下部開口部19を対向させてから下方に下ろすことにより前面部材23Ａ、上面部材23Ｂ、後面部材23Ｃを上横部材４、５の前面部、上面部、後面部にそれぞれ当接させるようにして嵌合状態で係止する。そして、支持部材26を斜めに配置すると共に第２の差込部材25を地面24に差し込む。この際、上部支持部材26Ａと下部支持部材26Ｂとを摺動して支持部材26の長さ調整を行い、その後、第２の締め付け部材17Ａを締め付けることで下部支持部材26Ｂを上部支持部材26Ａに押し付けて両者を固定する。
【００３４】
このようにして設置された立て看板１は、脚部８が第１の差込部材10を地面24に差し込んだ第１の取付具９によって脚部８が確実に固定され、さらに立て看板１の後側において第２の取付具22が突支棒のように配置されることで、風圧などで立て看板１が倒れることもない。
【００３５】
一方、立看板１を撤去する場合には、第２の締め付け部材17Ａを緩めて第２の差込部材25を地面24より抜き出すと共に、係止部を上横部材４、５より抜き出して第２の取付具22を回収する。また第１の締め付け部材17を緩めて脚部８を筒部16より抜き出した後で、横向部14に手をかけて第１の差込部材10を地面24より抜き出して第１の取付具９を回収する。これら第１の取付具９、第２の取付具22は保管後に再び他の立て看板１の固定に利用する。
【００３６】
以上のように、前記実施例においては、脚部８を設けた立て看板１を立設するものにおいて、脚部８を受容する固定部材11に地面24に差し込む金属製の第１の差込部材10を設けたことにより、第１の差込部材10を地面24に差し込んで固定した状態で、脚部８を固定部材11に固定することで確実に立て看板１を立設でき、さらに第１の差込部材10は金属製であるので、再利用が可能となる。１本の金属製棒を折り曲げて第１の差込部材10の上端を折り曲げて前記横向部を形成することができる。
【００３７】
また、第１の差込部材10は上下方向に長い金属製棒により形成されると共に、その上部に横向部14を設けると共に、該横向部14と反対側の第１の差込部材10の部位に固定部材11を設けることにより、第１の差込部材10を地面24に打ち込むときに、横向部14に打ち込み具を当てることで打ち込みを簡単に行うことができ、一方地面24より第１の差込部材10を抜き出すときには横向部に手を掛けて簡単に抜き出すこともできる。
【００３８】
さらに、金属製棒のほぼ軸線13上にある頂部21よりやや下方に固定部材11を設けたことにより、横向部14に打ち込み具を当てて打ち込みを行う際に、固定部材11に打ち込み具が誤って当るようなことはなく、確実に差し込みを行うことができる。
【００３９】
しかも、前記第１の差込部材10が異形棒鋼によって形成されているので、地面24に差し込んだ状態では複数の節部12によって地盤との付着力を増加することができる。
【００４０】
また、立て看板１の後側に配置され該立て看板１の上部より斜め下方に配置される第２の取付具22とを備え、第２の取付具22は上部に立て看板１の上部に係止する係止部材23を設けると共に、下部に前記地面24に差し込む第２の差込部材25を設けたことにより、立て看板１の後側を突支棒状に支持することができる。
【００４１】
さらに、係止部材23と第２の差込部材25が、支持部材本体26Ａに回動自在に接続していることで、立て看板１に対する第２の取付具22の角度を自由に調整することができる。１本の金属製棒を折り曲げて第１の差込部材10の上端を折り曲げて前記横向部14を形成することができる。
【００４２】
また、支持部材本体26Ａは、複数の棒状部材を摺動自在に設けて長さ方向に伸縮可能に設けると共に、これら棒状部材間に固定手段たる第２の締め付け部材17Ａを設けたことにより、立て看板１に対する第２の取付具22の長さを自由に調整することができる。
【００４３】
しかも、係止部材23は、上面部の前後に前面部、後面部を設けると共に下方を開口して、立て看板１の上方から嵌合可能に係止可能に設けたことにより、立て看板１の上方から係止部を嵌合することで簡単に取り付けを行うことができる。
【実施例２】
【００４４】
以下に、他の実施例を説明する。尚、前記実施例１と同一部分には同一符号を付し、その詳細な説明を省略する。
【００４５】
図４に示した実施例２においては、第２の取付具22の係止部材23を上側に配置される横部材４´に係止し、そして第１の取付具９´の第１の差込部材10´を立て看板１の後方にも配置し、上部開口部18を通して筒部16に第２の差込部材25を挿入すると共に、締め付け部材17，,１７Ａを締めて第２の差込部材25を地面24に固定したものである。
【００４６】
このように、第１の取付具９´を第２の取付具22の２の差込部材25の地面24との固定に利用してもよい。
【実施例３】
【００４７】
図５に示した実施例３においては、立て看板１を設置する地面24に段差がある場合のものである。この場合、脚部８と固定部材11との間に短金属パイプや金属の枠などの中継体31を設けたものであり、中継体31の上部と下部をそれぞれ脚部８と筒部16に挿入し、そして筒部16と中継体31の下部とを第１の締め付け部材17により固定し、さらに脚部８と中継体31の上部とを第１の締め付け部材17と同様な第３の締め付け部材17Ｂにより固定したものである。尚、取り付けにあっては第１の締め付け部材17、第３の締め付け部材17Ｂは立て看板１の後ろ側に配置する。
【００４８】
このような中継体31を用いることで、地面24に段差があって脚部８の長さが不足しているときには伸縮させてその不足分の長さを継ぎ足しすることができる。このような、線材を巻き付けして継ぎ足すことなく中継体31を利用することで、線材が人にあたって怪我をさせることなどを防止することができる。
【実施例４】
【００４９】
図６〜９に示した実施例４においては、立て看板１を設置する地面24が法面の場合のものである。この場合の中継体32の上部に脚部８を挿入し、中継体32の下部を筒部16に挿入し、そして筒部16と中継体31の下部とを第１の締め付け部材17により固定し、さらに脚部８と中継体31の上部とを第１の締め付け部材17と同様な第３の締め付け部材17Ｂにより固定したものである。
【００５０】
このような中継体3２を用いることで、地面24が法面の場合で脚部８の長さが不足しているときには伸縮させてその不足分の長さを継ぎ足しすることができる。このような、線材を巻き付けして継ぎ足すことなく中継体31を利用することで、線材が人にあたって怪我をさせることなどを防止することができる。
【産業上の利用可能性】
【００５１】
以上のように本発明に係る表示物の取付具は、各種の用途に適用できる。例えば、実施例ではそれぞれの固定具としてボルト状締め付け部材の場合を示したが、ワンタッチ式で止められるような固定具を用いてもよい。
【図面の簡単な説明】
【００５２】
【図１】本発明の実施例１を示す一部を拡大断面した斜視図である。
【図２】本発明の実施例１を示す第１の取付具の斜視図である。
【図３】本発明の実施例１を示す第２の取付具の斜視図である。
【図４】本発明の実施例２を示す斜視図である。
【図５】本発明の実施例３を示す一部を拡大断面した正面図である。
【図６】本発明の実施例４を示す中継体まわりの斜視図である。
【図７】本発明の実施例４を示す中継体まわりの断面図である。
【図８】本発明の実施例４を示す正面図である。
【図９】本発明の実施例４を示す側面図である。
【符号の説明】
【００５３】
１  立て看板
８  脚部
10  第１の差込部材
11  固定部材
12  節部
13  軸線
14  横向部
21  頂部
22  第２の取付具
23  係止部材
24  地面
25  第２の差込部材
26Ａ  支持部材本体
【図１】
2008203682.tif 000003
【図２】
2008203682.tif 000004
【図３】
2008203682.tif 000005
【図４】
2008203682.tif 000006
【図５】
2008203682.tif 000007
【図６】
2008203682.tif 000008
【図７】
2008203682.tif 000009
【図８】
2008203682.tif 000010
【図９】
2008203682.tif 000011